(57)【要約】      （修正有）【課題】セクタ内のデータスループットを増加させる。【解決手段】第１のデータパケットの第１のスロットセットを正しく解読すると、アクセスネットワーク（ＡＮ）は、アクノレッジメッセージ（ＡＣＫ）をアクセス端末（ＡＴ）に送り、ＡＮが、第１のデータパケットの第１のスロットセット内で受信されたデータを正しく解読したことを示す。第１のデータパケットの第１のスロットセットを正しく解読しないと、ＡＮは、ネガティブなアクノレッジメッセージ（ＮＡＫ）をＡＴに送り、ＡＮが、第１のデータパケットの第１のスロットセット内で受信されたデータを正しく解読しなかったことを示す。ＮＡＫの受信に基づいて、ＡＴは、冗長データを含む第１のデータパケットの第２のスロットセットを送ることによって、データを再送信する。ＡＣＫの受信に基づいて、ＡＴは、別のパケットの第１のスロットセットを送る。【選択図】図１
2011019237.tif 000002
【特許請求の範囲】
【請求項１】
高レートパケットデータコード分割多元接続無線通信システムの逆方向リンクに対する自動繰り返し要求の方法であって、
第１のパケットの第１のスロットセットをアクセス端末によってアクセスネットワークに送ることと、
第２のパケットの第１のスロットセットをアクセス端末によってアクセスネットワークに送ることと、
前記アクセスネットワークからの第１のパケットの第１のスロットセットの正しい又は正しくない解読に応じたアクノレッジメント（ＡＣＫ）又はネガティブなアクノレッジメント（ＮＡＫ）が前記アクセス端末によって受信されたのかを判定することと、
前記ＡＣＫが受信された時、前記アクセス端末によって第３のパケットの第１のスロットセットを送ることとを備える方法。
【請求項２】
請求項１に記載の方法において更に、
前記ＮＡＫが受信された時、前記アクセス端末によって、前記第１のパケットの第２のスロットセットを送ることを備える方法。
【請求項３】
請求項１に記載の方法において更に、
前記アクセスネットワークによって、前記第１のパケットの第１のスロットセットを受信することと、
前記アクセスネットワークによって、前記受信された第１のパケットの第１のスロットセットを解読するように試みることと、
前記アクセスネットワークによって、前記受信された第１のパケットの第１のスロットセットが正しく解読されたかを判定することと、
前記アクセスネットワークが前記受信された第１のパケットの第１のスロットセットを正しく解読した時、前記アクセスネットワークによって、前記ＡＣＫを前記アクセス端末に送ることとを備える方法。
【請求項４】
請求項３に記載の方法において更に、
前記アクセスネットワークが前記受信された第１のパケットの第１のスロットセットを正しく解読しなかったとき、前記アクセスネットワークによって、前記ＮＡＫを前記アクセス端末に送ることを備える方法。
【請求項５】
高レートパケットデータコード分割多元接続無線通信システムの逆方向リンクに対する自動繰り返し要求の方法であって、
アクセス端末によって、第１のパケットの第１のスロットセットをアクセスネットワークに送ることと、
前記アクセスネットワークからのアクノレッジメント（ＡＣＫ）又はネガティブなアクノレッジメント（ＮＡＫ）が前記アクセス端末によって受信されたかを前記アクセス端末によって判定することと、
前記ＮＡＫが受信された時、前記アクセス端末によって、前記第１のパケットの第２のスロットセットを送信することとを備える方法。
【請求項６】
請求項５に記載の方法において更に、
前記第１のパケットの第１のスロットセットを前記アクセスネットワークによって受信することと、
前記受信された第１のパケットの第１のスロットセットを前記アクセスネットワークによって解読するように試みることと、
前記受信された第１のパケットの第１のスロットセットが正しく解読されたかを前記アクセスネットワークによって判定することと、
前記アクセスネットワークが、前記受信された第１のパケットの第１のスロットセットを正しく解読しなかったとき、前記アクセスネットワークによって、前記ＮＡＫを前記アクセス端末に送ることとを備える方法。
【請求項７】
請求項６に記載の方法において更に、
前記アクセスネットワークが前記受信された第１のパケットの第１のスロットセットを正しく解読したとき、前記アクセスネットワークによって前記ＡＣＫを前記アクセス端末に送ることを備える方法。
【請求項８】
高レートパケットデータコード分割多元接続無線通信システムの逆方向リンクに対する自動繰り返し要求の方法であって、
アクセス端末からの第１のパケットの第１のスロットセットをアクセスネットワークによって受信することと、
前記受信された第１のパケットの第１のスロットセットの解読を前記アクセスネットワークによって試みることと、
前記受信された第１のパケットの第１のスロットセットが正しく解読されたかを前記アクセスネットワークによって判定することと、
前記アクセスネットワークが前記受信された第１のパケットの第１のスロットセットを正しく解読したとき、前記アクセスネットワークによってアクノレッジメント（ＡＣＫ）をアクセス端末に送ることとを備える方法。
【請求項９】
請求項８に記載の方法において更に、
前記アクセスネットワークが前記受信された第１のパケットの第１のスロットセットを正しく解読しなかったとき、前記アクセスネットワークによってネガティブなアクノレッジメント（ＮＡＫ）を前記アクセス端末に送ることを備える方法。
【請求項１０】
請求項９に記載の方法において更に、
前記アクセス端末からの前記第１のパケットの第２のスロットセットを前記アクセスネットワークによって受信することと、
前記受信された第１のパケットの第１のスロットセットと、前記受信された第１のパケットの第２のスロットセットとの組み合わせの解読を前記アクセスネットワークによって試みることとを備える方法。
【請求項１１】
請求項８に記載の方法において、前記ＡＣＫは、バイナリ位相シフトキーイング変調された順方向リンクＡＣＫチャネル上で前記アクセスネットワークによって送られ、前記ＡＣＫは、逆方向リンク電力制御チャネル上で送られた逆方向リンク電力制御ビットの位相に直交する位相で送られる方法。
【請求項１２】
高レートパケットデータコード分割多元接続無線通信システムの逆方向リンクに対する自動繰り返し要求の方法であって、
第１のパケットの第１のスロットセットをアクセス端末によってアクセスネットワークに送ることと、
前記第１のパケットの第１のスロットセットを前記アクセスネットワークによって受信することと、
前記受信された第１のパケットの第１のスロットセットの解読を前記アクセスネットワークによって試みることと、
前記受信された第１のパケットの第１のスロットセットが正しく解読されたかを前記アクセスネットワークによって判定することと、
前記アクセスネットワークが前記受信された第１のパケットの第１のスロットセットを正しく解読しなかった時には、前記アクセスネットワークによってネガティブなアクノレッジメント（ＮＡＫ）を前記アクセス端末に送り、前記アクセス端末が前記アクセスネットワークから前記ＮＡＫを受信したかを前記アクセス端末によって判定し、前記ＮＡＫが前記アクセス端末によって受信された時には、前記第１のパケットの第２のスロットセットを前記アクセス端末によって送り、前記アクセス端末からの前記第１のパケットの第２のスロットセットを前記アクセスネットワークによって受信し、前記受信された第１のパケットの第１のスロットセットと、前記受信された第１のパケットの第２のスロットセットとの組み合わせを解読するように前記アクセスネットワークによって試みることとを備える方法。
【請求項１３】
請求項１２に記載の方法において更に、
第２のパケットの第１のスロットセットを前記アクセス端末によって送ることを備え、
前記アクセスネットワークが前記受信された第１のパケットの第１のスロットセットを正しく解読した場合には、前記アクセスネットワークによってアクノレッジメント（ＡＣＫ）を前記アクセス端末に送り、前記アクセス端末が前記アクセスネットワークから前記ＡＣＫを受信したかを前記アクセス端末によって判定し、前記ＡＣＫが前記アクセス端末によって受信された場合には、第３のパケットの第１のスロットセットを前記アクセス端末によって送る方法。
【請求項１４】
請求項１２に記載の方法において、前記ＮＡＫは、バイナリ位相シフトキーイング変調された順方向リンクＡＣＫチャネル上で前記アクセスネットワークによって送られ、前記ＮＡＫは、逆方向電力リンク制御チャネル上で送られた逆方向リンク電力制御の位相に直交した位相で送られる方法。
【請求項１５】
高レートパケットデータコード分割多元接続無線通信システムのためのアクセス端末であって、前記アクセス端末は、
第１のパケットの第１のスロットセットを送り、第２のパケットの第１のスロットセットを送り、アクノレッジメント（ＡＣＫ）又はネガティブなアクノレッジメント（ＮＡＫ）を受信するように構成された無線周波数ユニットと、
前記ＡＣＫ又は前記ＮＡＫかの何れかが受信されたのかを判定するように構成されたロジック及び処理ユニットとを備え、
前記無線周波数ユニットは更に、前記ＡＣＫが受信された時には第３のパケットの第１のスロットセットを送り、前記ＮＡＫが受信された時には前記第１のパケットの第２のスロットセットを送るように構成されているアクセス端末。
【請求項１６】
高レートパケットデータコード分割多元接続無線通信システムのためのアクセスネットワークであって、前記アクセスネットワークは、
第１のパケットの第１のスロットセットを受信するように構成された無線周波数ユニットと、
前記受信された第１のパケットの第１のスロットセットを解読するように試み、前記受信された第１のパケットの第１のスロットセットが正しく解読されたかを判定するように構成されたロジック及び処理ユニットとを備え、
前記無線周波数ユニットは更に、前記ロジック及び処理ユニットが、前記受信された第１のパケットの第１のスロットセットを正しく解読した場合にアクノレッジメント（ＡＣＫ）を送り、前記ロジック及び処理ユニットが、前記受信された第１のパケットの第１のスロットセットを正しく解読しなかった場合にネガティブなアクノレッジメント（ＮＡＫ）を送るアクセスネットワーク。
【請求項１７】
請求項１６に記載のアクセスネットワークにおいて、
前記無線周波数ユニットは更に、前記第１のパケットの第２のスロットセットを受信するように構成され、
前記ロジック及び処理ユニットは更に、前記受信された第１のパケットのスロットセットと、前記受信された第１のパケットの第２のスロットセットとの組み合わせを解読するように試みるアクセスネットワーク。
【請求項１８】
請求項１６に記載のアクセスネットワークにおいて、
前記無線周波数ユニットは更に、バイナリ位相シフトキーイング変調された逆方向リンク電力制御チャネル上で逆方向リンク電力制御ビットを送り、バイナリ位相シフトキーイング変調された順方向リンクＡＣＫチャネル上で前記ＡＣＫ又は前記ＮＡＫを送り、前記ＡＣＫ又はＮＡＫは前記逆方向リンク電力制御チャネルの位相に直交する位相で送信されるアクセスネットワーク。
【請求項１９】
高レートパケットデータの逆方向リンクに対する自動繰り返し要求のためのコード分割多元接続（ＣＤＭＡ）無線通信システムであって、前記ＣＤＭＡ無線通信システムは、
アクセス端末とアクセスネットワークとを備え、
前記アクセス端末は、
第１のパケットの第１のスロットセットを送り、第２のパケットの第１のスロットセットを送り、アクノレッジメント（ＡＣＫ）又はネガティブなアクノレッジメント（ＮＡＫ）を受信するように構成された第１の無線周波数ユニットと、
ＡＣＫ又はＮＡＫが受信されたかを判定するために構成された第１のロジック及び処理ユニットとを備え、
前記第１の無線周波数ユニットは更に、前記ＡＣＫが受信された場合に第３のパケットの第１のスロットセットを送り、前記ＮＡＫが受信された場合に前記第１のパケットの第２のスロットセットを送り、
前記アクセスネットワークは、
前記受信された第１のパケットの第１のスロットセットを受信するように構成された第２の無線周波数ユニットと、
前記受信された第１のパケットの第１のスロットセットの解読を試み、前記受信された第１のパケットの第１のスロットセットが正しく解読されたかを判定するように構成された第２のロジック及び処理ユニットとを備え、
前記第２の無線周波数ユニットは更に、前記第２のロジック及び処理ユニットが、前記受信された第１のパケットの第１のスロットセットを正しく解読した場合に前記ＡＣＫを送り、前記第２のロジック及び処理ユニットが、前記受信された第１のパケットの第１のスロットセットを正しく解読しなかった場合に前記ＮＡＫを送るＣＤＭＡ無線通信システム。
【請求項２０】
請求項１９に記載のＣＤＭＡ無線通信システムにおいて、
前記第２の無線周波数ユニットは更に、前記第１のパケットの第２のスロットセットを受信するように構成され、
前記第２のロジック及び処理ユニットは更に、前記受信された第１のパケットの第１のスロットセットと、前記受信された第１のパケットの第２のスロットセットとの組み合わせの解読を試みるように構成されるＣＤＭＡ無線通信システム。
【請求項２１】
請求項１９に記載のＣＤＭＡ無線通信システムにおいて、
前記第２の無線周波数ユニットは更に、バイナリ位相シフトキーイング変調された順方向リンクＡＣＫチャネル上で前記ＡＣＫ又は前記ＮＡＫを送るように構成され、前記ＡＣＫ又は前記ＮＡＫは、逆方向リンク電力制御チャネルの位相に直交した位相で送られるＣＤＭＡ無線通信システム。
【請求項２２】
高レートパケットデータコード分割多元接続無線通信システムの逆方向リンクに対する自動繰り返し要求の装置であって、
第１のパケットの第１のスロットセットをアクセス端末によってアクセスネットワークに送る手段と、
第２のパケットの第１のスロットセットをアクセス端末によってアクセスネットワークに送る手段と、
前記アクセスネットワークからの第１のパケットの第１のスロットセットの正しい又は正しくない解読にそれぞれに対応したアクノレッジメント（ＡＣＫ）又はネガティブなアクノレッジメント（ＮＡＫ）が前記アクセス端末によって受信されたのかを判定する手段と、
前記ＡＣＫが受信された時、前記アクセス端末によって第３のパケットの第１のスロットセットを送る手段とを備える装置。
【請求項２３】
高レートパケットデータコード分割多元接続無線通信システムの逆方向リンクに対する自動繰り返し要求の装置であって、
第１のパケットの第１のスロットセットをアクセス端末によってアクセスネットワークに送る手段と、
前記アクセスネットワークからのアクノレッジメント（ＡＣＫ）又はネガティブなアクノレッジメント（ＮＡＫ）が前記アクセス端末によって受信されたのかを前記アクセス端末によって判定する手段と、
前記ＮＡＫが受信された時、前記アクセス端末によって前記第１のパケットの第２のスロットセットを送る手段とを備える装置。
【請求項２４】
高レートパケットデータコード分割多元接続無線通信システムの逆方向リンクに対する自動繰り返し要求の装置であって、
アクセス端末から第１のパケットの第１のスロットセットをアクセスネットワークによって受信する手段と、
前記受信された第１のパケットの第１のスロットセットを前記アクセスネットワークによって解読するように試みる手段と、
前記受信された第１のパケットの第１のスロットセットが正しく解読されたかを前記アクセスネットワークによって判定する手段と、
前記アクセスネットワークが、前記受信された第１のパケットの第１のスロットセットを正しく解読したとき、前記アクセスネットワークによって、アクノレッジメントをアクセス端末に送る手段とを備える装置。
【請求項２５】
高レートパケットデータコード分割多元接続無線通信システムの逆方向リンクに対する自動繰り返し要求の装置であって、
第１のパケットの第１のスロットセットをアクセス端末によってアクセスネットワークに送る手段と、
前記第１のパケットの第１のスロットセットを前記アクセスネットワークによって受信する手段と、
前記受信された第１のパケットの第１のスロットセットの解読を前記アクセスネットワークによって試みる手段と、
前記受信された第１のパケットの第１のスロットセットが正しく解読されたかを前記アクセスネットワークによって判定する手段と、
前記アクセスネットワークが前記受信された第１のパケットの第１のスロットセットを正しく解読しなかった時のための手段とを備え、この手段は、
前記アクセスネットワークによってネガティブなアクノレッジメント（ＮＡＫ）を前記アクセス端末に送る手段と、
前記アクセス端末が前記アクセスネットワークから前記ＮＡＫを受信したかを前記アクセス端末によって判定する手段と、
前記ＮＡＫが前記アクセス端末によって受信された時のための手段とを備え、この手段は、
前記第１のパケットの第２のスロットセットを前記アクセス端末によって送る手段
と、
前記アクセス端末からの前記第１のパケットの第２のスロットセットを前記アクセスネットワークによって受信する手段と、
前記受信された第１のパケットの第１のスロットセットと、前記受信された第１のパケットの第２のスロットセットとの組み合わせを解読するように前記アクセスネットワークによって試みる手段とを備える装置。
【発明の詳細な説明】
【技術分野】
【０００１】
本発明は、一般に無線通信に関し、特に、無線通信システムにおいてデータを送ることに関する。
【背景技術】
【０００２】
ＴＩＡ／ＥＩＡ／ＩＳ−８５６として発行されたｃｄｍａ２０００高レートパケットデータ空気インタフェース仕様、及び更に詳しくはＱＵＡＬＣＯＭＭ ＣＤＭＡ２０００ １ｘＥＶ−ＤＯバージョンは、移動及び固定端末への高速無線データ配信のために最適化された空気インタフェースである。
【０００３】
１ｘＥＶ−ＤＯでは、アクセス端末（ＡＴ）は、無線モデムとデータインタフェースとを備えた装置であって、ユーザが、１ｘＥＶ−ＤＯアクセスネットワークを通じてパケットデータネットワークにアクセスすることを可能とする。ＡＴは、ＩＳ−４１携帯ネットワーク内の移動局に類似している。
【０００４】
アクセスネットワーク（ＡＮ）は、例えばインターネットのようなパケット交換データネットワークと、ＡＴとの間のデータ接続を提供するネットワーク機器である。ここに示すように、ＡＮは、モデムプールトランシーバ単体から、また、それに加えてモデムプールコントローラのようなその他のネットワーク機器から構成することができる。
【０００５】
順方向リンク（ＦＬ）は、ＡＮからＡＴへの通信を称する。それに対して、逆方向リンク（ＲＬ）は、ＡＴからＡＮへの通信を称する。
【０００６】
複数のＡＴは、単一のＢＴＳによってカバーされたセクタ内で通信することができる。ＡＮは、受信された閾電力によって制限される。この受信電力は、セクタ内のＡＴの数と、セクタ内の各ＡＴのデータレートとの関数である。高データレートで送信しているＡＴは、低データレートで送信しているＡＴよりも高い電力で信号を送信する。ＡＮがその受信閾電力に近づく時には、ＡＮは、ＡＮのセクタ内の全てのＡＴに対して逆方向リンクアクティビティチャネル上でメッセージを送り、送信レートを低減する。送信レートの低減は、低減されたスループットをもたらし、受信閾電力の制限は、セクタ内のＡＴの合計データスループットに対する割合を制限することになる。
【０００７】
従って、セクタ内のデータスループットを増加させるための方法及び装置に対する必要性が存在する。
【発明を実施するための最良の形態】
【０００８】
"TIA/EIA/IS-95 Mobile Station-Base Station Compatibility Standard for Dual- Mode Wideband Spread Spectrum Cellular System"（ＩＳ−９５）に対応したコード分割多元接続（ＣＤＭＡ）システムでは、データパケットは、ＦＬ上で再送信されることが可能である。ＦＬ送信のための技術は、１９９７年１１月３日に出願された"Method and Apparatus for High Rate Packet Data Transmission"、米国特許出願番号０８／９６３，３８６号に記載されている。例えば、データパケットは、予め定めた数のデータユニットからなる。ここで、各データユニットは、連続番号によって識別される。移動局によって１つ又は複数のデータユニットの正しくない受信があると、この移動局は、ＲＬ ＡＣＫチャネル上で、ネガティブなアクノレッジメント（ＮＡＣＫ）を送ることができる。これによって、基地局からの再送信のために、喪失されたデータユニットの連続番号を示す。基地局は、このＮＡＣＫメッセージを受信し、誤って受信されたデータユニットを再送信することができる。
【０００９】
ＣＤＭＡシステム内のＲＬにおけるデータ送信のために、そのようなアクノレッジメント又は再送信は存在しない。１ｘＥＶ−ＤＯの物理レイヤの送信ユニットは、物理レイヤパケットである。物理レイヤパケットには、データが含まれる。ＲＬでは、物理レイヤパケットがフレームに含まれる。フレームは、 ２６．６６ミリ秒（ｍｓ）の期間からなる。フレームは、それぞれが１．６６ｍｓの期間を持つ１６スロットからなる。
【００１０】
データは、逆方向トラフィックチャネルにおいて、可変データレートで変調される。このデータレートは、９．６キロビット毎秒（ｋｂｐｓ）、１９．２ｋｂｐｓ、３８．４ｋｂｐｓ、７６．８ｋｂｐｓ、及び１５３．６ｋｂｐｓになりうる。７６．８ｋｂｐｓ未満のデータレートでは、データがフレーム内で繰り返されうる。例えば、９．６ｋｂｐｓでは、データは、フレームにおける初めの２スロット内で送られ、１６スロットからなるフレームのうちの次の１４スロット内で同じデータが７回繰り返される。１９．２ｋｐｂｓでは、データは、フレームにおける初めの４スロット内で送られ、１６スロットからなるフレームのうちの次の１２スロット内で同じデータが３回繰り返される。３８．４ｋｐｂｓでは、データは、フレームにおける初めの８スロット内で送られ、１６スロットからなるフレームのうちの次の８スロット内で同じデータが１回繰り返される。データは、７６．８ｋｂｐｓのデータレートに対しては、フレーム内で繰り返されないが、例えばターボエンコーディングのようなエンコーディングによって、他のデータレートでデータのための冗長性を提供すると、冗長性が提供される。
【００１１】
フレーム内でのデータの繰り返し、及びエンコーディングによって提供された冗長性は、個々のＡＴによって、冗長データの送信を低減するために有利に使用される。セクタ内の個々のＡＴによって送信された冗長データの量を低減することによって、このデータは、より短い期間で送信されるので、セクタのためにデータスループットが効率的に増加される。
【００１２】
１５３．６ｋｂｐｓ未満のデータレートのために、１６スロットからなるフレームは、ＡＴによる送信の前に、１６／Ｎのスロットセットに分割される。ここで、Ｎは１，２，４，又は８でありうる。例えば、Ｎが２に等しい時、ＡＴは、フレームの前半（８スロット）をＡＮに送信し、ＡＮによって受信されたように、フレームの前半のデータを正しく解読すると、データの再送信を可能にするためにフレームの後半を、キューに保持する。
【００１３】
自動繰り返し要求（ＡＲＱ：Ａｕｔｏｍａｔｉｃ Ｒｅｐｅａｔ Ｒｅｑｕｅｓｔ）は、受信機が送信機に対してデータを再送信するように要求するプロトコルを称する。フレームの前半を正しく解読すると、ＡＮは、ＡＴにアクノレッジメッセージ（ＡＣＫ）を送り、ＡＮが、フレームの前半で取得されたデータを正しく解読したことを示すことができる。フレームの前半を正しく解読しないと、ＡＮは、ＡＴにネガティブなアクノレッジメッセージ（ＮＡＫ）を送り、ＡＮが、フレームの前半で取得されたデータを正しく解読しなかったことを示すことができる。
【００１４】
ＡＣＫは、幾つかのデータが正しく受信されたことを示すために送信されるメッセージである。一般に、もしも送信者が、予め定めた時間経ってもＡＣＫメッセージを受信しないか、又はＮＡＫメッセージを受信したのであれば、オリジナルデータが再び送られるであろう。
【００１５】
ＮＡＫは、幾つかのデータが、例えばチェックサムエラーを持っているなどにより、誤って受信されたことを示すために送信されるメッセージである。ＮＡＫを送ることの代案は、ＡＣＫメッセージのみを使用することである。この場合、一定時間後にＡＣＫの受信がないことはＮＡＫとみなされる。ここで使用されるように、ＮＡＫとは、ＮＡＫメッセージを受信すること、又はＡＣＫを受信しないことを称する。
【００１６】
ＡＣＫ又はＮＡＫは、ＦＬ ＡＣＫチャネルによって送られる。１ｘＥＶ−ＤＯでは、ＦＬ ＡＣＫチャネルは、新たなＭＡＣサブチャネルとして導入することができる。１ｘＥＶ−ＤＯの既存のＦＬ媒体アクセス制御（ＭＡＣ：Ｍｅｄｉｕｍ Ａｃｃｅｓｓ Ｃｏｎｔｏｌ）チャネルは、逆方向リンク電力制御（ＲＰＣ：Ｒｅｖｅｒｓｅ Ｌｉｎｋ Ｐｏｗｅｒ Ｃｏｎｔｒｏｌ）チャネルと称するサブチャネルを含んでいる。ＲＰＣチャネルは、ＲＰＣビットを送信するために、セクタ内のＡＴに対して電力の増加又は減少を要求するバイナリ位相シフトキーイング（ＢＰＳＫ：Ｂｉｎａｒｙ Ｐｈａｓｅ−Ｓｈｉｆｔ Ｋｅｙｉｎｇ）変調を用いる。ＦＬ ＡＣＫチャネルは、ＲＰＣチャネルの位相に直交する位相においてＢＰＳＫ変調を使用することができる。
【００１７】
ＦＬ ＡＣＫチャネルを生成するためにその他の技術を使用することも可能である。現在、６４のＭＡＣサブチャネルが存在する。これらサブチャネルの幾つかは、ＦＬ ＡＣＫチャネルのために使用することができる。この例では、ＦＬ ＡＣＫチャネルの変調位相は、ＲＰＣチャネルに対して直交である必要はない。
【００１８】
ＡＴがソフトハンドオフにある場合、ＡＣＫビットは、サービングセクタのみから、又はＡＴのアクティブセット内の全てのセクタから送信されうる。
【００１９】
図１は、ＡＲＱを用いたＡＴ１０２とＡＮ１０４との間の信号の送信を示している。ＡＴが、パケットｎの第１のスロットセット１０６を送る。この例では、第１のスロットセットは、８スロットからなる。パケットｎの第１のスロットセット１１４が、ＡＮによって受信される。パケットｎの第１のスロットセット１０６がＡＴによって送られた直後に、パケットｎ＋１の第１のスロットセット１０８がＡＴによって送られ、パケットｎ＋１の第１のスロットセット１１６がＡＮによって受信される。
【００２０】
図１に示すように、パケットｎの第１のスロットセット１０６を送る前に、パケットｎ−１の第１のスロットセット１２２がＡＴ１０２によって送られ、パケットｎ−１の第１のスロットセット１２４がＡＮ１０４によって受信される。
【００２１】
次のスロットセットを送る前に、ＡＴは、パケットｎの第１のスロットセット１１４が正しく解読されたか、又は正しく解読されなかったのかを表すアクノレッジメント信号ＡＣＫ又はＮＡＫをＡＮから受信する。このアクノレッジメント信号は、ＡＴに対して、例えば冗長データを含むパケットｎの第２のスロットセットを送ることによってデータを再送信するように、あるいは、例えばパケットｎ＋２からの第１のスロットセットのような新たなデータを送るように通知する。
【００２２】
この例では、ＡＣＫ１２２がＡＮによって送られ、パケットｎの第１のスロットセット１１４が正しく解読されたことを示している。ＡＴはＡＣＫを受信する。これは、パケットｎ＋２の第１のスロットセット１１０がＡＴによって送ることができることを示している。ＡＮは、パケットｎ＋２の第１のスロットセット１１８を受信する。
【００２３】
次のスロットセット１１２を送る前に、ＡＴは、パケットｎ＋１の第１のスロットセット１１６が正しく解読されたか、又は正しく解読されなかったのかを表すアクノレッジメント信号ＡＣＫ又はＮＡＫをＡＮから受信する。この例では、ＡＮは、ＮＡＫを送っている。ＮＡＫの受信に基づいて、ＡＴは、冗長データを含むパケットｎ＋１の第２のスロットセット１１２を送ることによってデータを再送信する。ＡＮは、パケットｎ＋１の第２のスロットセット１２０を受信する。ＡＮは、パケットｎ＋１の第１のスロットセット１１６に含まれるデータを、パケットｎ＋１の第２のスロットセット１２０に含まれる冗長データと組み合わせ、この組み合わされたスロットセットに含まれるデータの解読を試みることができる。この冗長データを加えることによって、データを正しく解読する可能性が増加する。
【００２４】
当該技術分野における通常の技能を持つ者であれば、第１のスロットセットに含まれるデータをＡＮが正しく解読した時には、冗長データ、すなわち第２のスロットセットを送信しないことによって、システムのデータスループットが高められることを理解するであろう。８スロットの２セットの本例では、データスループットは、潜在的に２倍となることができる。
【００２５】
図２は、ＡＴによるデータ送信の方法を示す。２０２では、ＡＴが、第１のパケットの第１のスロットセットをＡＮに送る。２０４では、ＡＴが、第２のパケットの第１のスロットセットをＡＮに送る。当該技術における通常の技能を持つ者であれば、例えば、それぞれ４スロットからなる４つのスロットセットのように、パケットを２より大きいセットに分割されたとき、第１のパケットセットの追加送信が２０６に進む前に行われることを理解するであろう。
【００２６】
２０６では、ＡＴが受信したものがＡＮからのＡＣＫであるか、又はＮＡＫであるかをＡＴが判定する。この例では、ＡＣＫは、第１のパケットの第１のスロットセットがＡＮによって正しく解読されたことを示し、ＮＡＫは、第１のパケットの第１のスロットセットがＡＮによって正しく解読されなかったことを示す。
【００２７】
ＡＣＫが受信された時、２１０において、ＡＴが第３のパケットの第１のスロットセットを送る。ＮＡＫが受信された時、２０８においてＡＴが第１のパケットの第２のスロットセットを送る。
【００２８】
前述した例は、８スロットからなる２セットに分割されたパケットに対するものである。当該技術分野における通常の技能を持つ者であれば、パケットは２つより多くに分割されうることを理解するであろう。
【００２９】
例えば、もしもパケットがそれぞれ４スロットからなる４スロットセットに分割されるのであれば、ＡＴは２０２において第１のパケットの第１のスロットセットを送り、更にＡＴは２０４において第２のパケットの第２のスロットセットを送ることができる。第１のパケットの第１のスロットセットがＡＮによって正しく解読されたことにしたがって、２０６においてＡＴによってＡＣＫが受信された時、ＡＴは、２１０において、第３のパケットの第１のスロットセットを送ることができる。第１のパケットの第１のスロットセットがＡＮによって正しく解読されなかったことにしたがって、２０６においてＡＴによってＮＡＫが受信された時、ＡＴは、２０８において、第１のパケットの第２のスロットセットを送ることができる。
【００３０】
更に、第２のパケットの第１のスロットセットがＡＮによって正しく解読されたことにしたがって（図示せず）、ＡＴによってＡＣＫが受信された時、ＡＴは、（ａ）第１のパケットの第１のスロットセットもまた正しく解読されたのであれば第４のパケットの第１のスロットセットか、（ｂ）第１のパケットの第１のスロットセットが正しく解読されなかったのであれば第３のパケットの第１のスロットセットかの何れかを送ることができる。
【００３１】
第２のパケットの第１のスロットセットがＡＮによって正しく解読されなかったことにしたがって（図示せず）、ＡＴによってＮＡＫが受信された時、ＡＴは、第２のパケットの第２のスロットセットを送ることができる。
【００３２】
この処理は、その他のスロットセットに対しても同様に続けることができる。
【００３３】
更に、ＡＴは、２０２において第１のパケットの第１のスロットセットを、２０４において第２のパケットの第１のスロットセットを、第３のパケットの第１のスロットセットを（図示せず）、第４のパケットの第１のスロットセットを（図示せず）連続して送ることができる。ＡＮは、第１のパケットの第１のスロットセットに対するアクノレッジメント信号を送る前に、スロットの初めの３セットを受信することができる。２０６において、第１のパケットの第１のスロットセットがＡＮによって正しく解読されたことにしたがって、ＡＴによってＡＣＫが受信された時、ＡＴは２１０において、第５のパケットの第１のスロットセットを送ることができる。２０６において、第１のパケットの第１のスロットセットがＡＮによって正しく解読されなかったことにしたがって、ＡＴによってＮＡＫが受信された時、ＡＴは、２０８において、第１のパケットの第２のスロットセットを送ることができる。
【００３４】
更に、第２のパケットの第１のスロットセットがＡＮによって正しく解読されたことにしたがって、ＡＴによってＡＣＫが受信された時、ＡＴは、第６のパケットの第１のスロットセットを送ることができる（図示せず）。第２のパケットの第１のスロットセットがＡＮによって正しく解読されなかったことにしたがって、ＡＴによってＮＡＫが受信された時、ＡＴは、第２のパケットの第２のスロットセットを送ることができる（図示せず）。
【００３５】
この処理は、その他のスロットセットに対しても同様に続けることができる。
【００３６】
更に、当該技術分野における通常の技能を持つ者であれば、ＡＴによってスロットを送ることと、ＡＮによってアクノレッジメント信号を送ることとの組み合わせもなされうる。そして、これも添付した請求項の範囲内にある。
【００３７】
図３は、図２に示すＡＴによるデータ送信の方法に対応するＡＮによるデータ送信の方法を示している。
【００３８】
３０２では、ＡＮが第１のパケットの第１のスロットセットを受信する。３０４では、ＡＮが第２のパケットの第１のスロットセットを受信する。３０６では、ＡＮが第１のパケットの第１のスロットセットの解読を試みる。解読を試みること３０６は、第２のパケットの第１のスロットセットの受信後に示されているが、ＡＮは、第２のパケットの第１のスロットセットの受信の前であっても、後であっても、又は、第２のパケットの第１のスロットセットの受信と並行してであっても、第１のパケットの第１のスロットセットの解読を試みることができる。
【００３９】
３０８では、ＡＮが、第１のパケットの第１のスロットセットが正しく解読されたかを判定する。ＡＮが第１のパケットの第１のスロットセットを正しく解読したとき、３１０においてＡＮがＡＴにＡＣＫを送り、３１２において第３のパケットの第１のスロットセットを受信する。ＡＮが第１のパケットの第１のスロットセットを正しく解読しなかったとき、ＡＮは３１４においてＮＡＫをＡＴに送り、３１６において第１のパケットの第２のスロットセットを受信し、３１８において第１のパケットの第１のスロットセットと、第１のパケットの第２のスロットセットとの組み合わせの解読を試みる。
【００４０】
前述した例は、８スロットからなる２セットに分割されたパケットのためのものである。当該技術分野における通常の熟練者であれば、図２に示すように、パケットが２つよりも大きく分割することが可能であることを理解するであろう。
【００４１】
ＡＣＫ又はＮＡＫを送るタイミングは、受信されたスロットセットの数から独立することができる。ＡＮは、例えば３０８において、受信したセット又はスロットセットに対応する解読の後、及びＡＴがアクノレッジメント信号を必要とする前において、ＡＣＫ又はＮＡＫを送り、２０６において、特定のスロットセットを送るための判定を行うことができる。ＡＣＫ又はＮＡＫを送るタイミングは、スロットセットのインタリーブとは独立でありうる。
【００４２】
図４は、無線通信システムにおけるＡＴ１０２とＡＮ１０４のブロック図を示す。従来技術によるハードウェア及びソフトウェア技術が、ＡＴ及びＡＮによって使用される。ＡＴ及びＡＮの両方は、ロジック及び処理ユニット４０２，４０４と、それぞれ上述した機能を実行するための無線周波数ユニット４０６，４０８とを備えることができる。例えば、当該技術分野における通常の技術を持つ者は、無線周波数ユニットがＡＮとＡＴとの間で信号を送受信することができ、ロジック及び処理ユニットが論理的な動作と、信号の処理とを実行することができることを理解するであろう。
【００４３】
前述の記述は、１ｘＥＶ−ＤＯ通信システムに具体的に関連してなされるにもかかわらず、逆方向リンク自動繰り返し要求は、他のＣＤＭＡシステムでも利用することができる。
【００４４】
開示された実施例の前述した記述は、当該技術分野における熟練者に対して、本発明を実行又は利用させるために提供される。これら実施例に対する種々の変形例は、当該技術分野における熟練者に対して容易に明らかであり、ここで定義された一般的な原理は、本発明の精神又は範囲から逸脱することなくその他の実施例に適用されうる。従って、本発明は、ここで図示された実施例に対して限定されるのではなく、ここで記載された原理及び斬新な特徴と一致した最も広い範囲とみなされることが意図されている。
【図面の簡単な説明】
【００４５】
【図１】図１は、ＡＴとＡＮとの間の信号の送信を示す。
【図２】図２は、ＡＴによるデータ送信の方法を示す。
【図３】図３は、ＡＮによるデータ送信の方法を示す。
【図４】図４は、無線通信システムにおけるＡＴとＡＮのブロック図を示す。
【図１】
2011019237.tif 000003
【図２】
2011019237.tif 000004
【図３】
2011019237.tif 000005
【図４】
2011019237.tif 000006
【手続補正書】
【提出日】平成22年8月23日(2010.8.23)
【手続補正１】
【補正対象書類名】特許請求の範囲
【補正対象項目名】全文
【補正方法】変更
【補正の内容】
【特許請求の範囲】
【請求項１】
無線通信システムの逆方向リンクでデータを送る方法であって、
第１のスロットセットと第２のスロットセットとを含む第１のパケットの前記第１のスロットセットをアクセス端末によってアクセスネットワークに送ることと、
ここにおいて、前記第２のスロットセットは、前記アクセスネットワークにおいて前記第１のスロットセットの受信の解読が正しくないときに、送信されるものである、
前記第１のパケットの前記第１のスロットセットが送られた直後、複数のスロットセットを含む第２のパケットの第１のスロットセットを前記アクセス端末によって前記アクセスネットワークに送ることと、
前記アクセスネットワークからの第１のパケットの第１のスロットセットの正しい又は正しくない解読に応じたアクノレッジメント（ＡＣＫ）又はネガティブなアクノレッジメント（ＮＡＫ）が前記アクセス端末によって受信されたのかを判定することと、
前記ＡＣＫが受信された場合、前記アクセス端末によって、複数のスロットセットを含む第３のパケットの第１のスロットセットを送ることとを備え、
前記各スロットセットは、複数のスロットからなる方法。
【請求項２】
請求項１に記載の方法において更に、
前記ＮＡＫが受信された場合、前記アクセス端末によって、前記第１のパケットの前記第２のスロットセットを送ることを備える方法。
【請求項３】
請求項１に記載の方法において更に、
前記アクセスネットワークによって、前記第１のパケットの第１のスロットセットを受信することと、
前記アクセスネットワークによって、前記受信された第１のパケットの第１のスロットセットを解読するように試みることと、
前記アクセスネットワークによって、前記受信された第１のパケットの第１のスロットセットが正しく解読されたかを判定することと、
前記アクセスネットワークが前記受信された第１のパケットの第１のスロットセットを正しく解読した場合、前記アクセスネットワークによって、前記ＡＣＫを前記アクセス端末に送ることとを備える方法。
【請求項４】
請求項３に記載の方法において更に、
前記アクセスネットワークが前記受信された第１のパケットの第１のスロットセットを正しく解読しなかった場合、前記アクセスネットワークによって、前記ＮＡＫを前記アクセス端末に送ることを備える方法。
【請求項５】
無線通信システムの逆方向リンクでデータを送る方法であって、
アクセス端末によって、第１のスロットセットと第２のスロットセットとを含む第１のパケットの前記第１のスロットセットをアクセスネットワークに送ることと、
ここにおいて、前記第２のスロットセットは、前記アクセスネットワークにおいて前記第１のスロットセットの受信の解読が正しくないときに、送信されるものである、
前記第１のパケットの前記第１のスロットセットが送られた直後、複数のスロットセットを含む第２のパケットの第１のスロットセットを前記アクセス端末によって前記アクセスネットワークに送ることと、
前記アクセスネットワークからの第１のパケットの第１のスロットセットの正しい又は正しくない解読に応じたアクノレッジメント（ＡＣＫ）又はネガティブなアクノレッジメント（ＮＡＫ）が前記アクセス端末によって受信されたかを判定することと、
前記ＮＡＫが受信された場合、前記アクセス端末によって、前記第１のパケットの第２のスロットセットを送信することとを備え、
前記各スロットセットは、複数のスロットセットからなる方法。
【請求項６】
請求項５に記載の方法において更に、
前記第１のパケットの第１のスロットセットを前記アクセスネットワークによって受信することと、
前記受信された第１のパケットの第１のスロットセットを前記アクセスネットワークによって解読するように試みることと、
前記受信された第１のパケットの第１のスロットセットが正しく解読されたかを前記アクセスネットワークによって判定することと、
前記アクセスネットワークが、前記受信された第１のパケットの第１のスロットセットを正しく解読しなかった場合、前記アクセスネットワークによって、前記ＮＡＫを前記アクセス端末に送ることとを備える方法。
【請求項７】
請求項６に記載の方法において更に、
前記アクセスネットワークが前記受信された第１のパケットの第１のスロットセットを正しく解読した場合、前記アクセスネットワークによって前記ＡＣＫを前記アクセス端末に送ることを備える方法。
【請求項８】
無線通信システムの逆方向リンクでデータを受信する方法であって、
アクセス端末からの、第１のスロットセットと第２のスロットセットとを含む第１のパケットの第１のスロットセットをアクセスネットワークによって受信することと、
ここにおいて、前記第２のスロットセットは、前記アクセスネットワークにおいて前記第１のスロットセットの受信の解読が正しくないときに、送信されるものである、
前記第１のパケットの前記第１のスロットセットが受信された直後、前記アクセス端末からの複数のスロットセットを含む第２のパケットの第１のスロットセットを前記アクセスネットワークによって受信することと、
前記受信された第１のパケットの第１のスロットセットの解読を前記アクセスネットワークによって試みることと、
前記受信された第１のパケットの第１のスロットセットが正しく解読されたかを前記アクセスネットワークによって判定することと、
前記アクセスネットワークが前記受信された第１のパケットの第１のスロットセットを正しく解読した場合、前記アクセスネットワークによってアクノレッジメント（ＡＣＫ）をアクセス端末に送ることとを備え、
前記各スロットセットは、複数のスロットからなる方法。
【請求項９】
請求項８に記載の方法において更に、
前記アクセスネットワークが前記受信された第１のパケットの第１のスロットセットを正しく解読しなかった場合、前記アクセスネットワークによってネガティブなアクノレッジメント（ＮＡＫ）を前記アクセス端末に送ることを備える方法。
【請求項１０】
請求項９に記載の方法において更に、
前記アクセス端末からの前記第１のパケットの前記第２のスロットセットを前記アクセスネットワークによって受信することと、
前記受信された第１のパケットの第１のスロットセットと、前記受信された第１のパケットの第２のスロットセットとの組み合わせの解読を前記アクセスネットワークによって試みることとを備える方法。
【請求項１１】
請求項８に記載の方法において、前記ＡＣＫは、順方向リンクＡＣＫチャネル上で前記アクセスネットワークによって送られ、前記ＡＣＫは、逆方向リンク電力制御チャネルの位相に直交する位相で送られる方法。
【請求項１２】
アクセス端末であって、
第１のスロットセットと第２のスロットセットとを含む第１のパケットの前記第１のスロットセットを送り、前記第１のパケットの前記第１のスロットセットが送られた直後、複数のスロットセットを含む第２のパケットの第１のスロットセットを送り、アクノレッジメント（ＡＣＫ）又はネガティブなアクノレッジメント（ＮＡＫ）を受信するように構成された無線周波数ユニットと、
ここにおいて、前記第２のスロットセットは、アクセスネットワークにおいて前記第１のスロットセットの受信の解読が正しくないときに、送信されるものである、
前記ＡＣＫ又は前記ＮＡＫかの何れかが受信されたのかを判定するように構成されたロジック及び処理ユニットとを備え、
前記無線周波数ユニットは更に、前記ＡＣＫが受信された場合、複数のスロットセットを含む第３のパケットの第１のスロットセットを送り、前記ＮＡＫが受信された場合、前記第１のパケットの前記第２のスロットセットを送るように構成され、
前記各スロットセットは、複数のスロットからなるアクセス端末。
【請求項１３】
アクセスネットワークであって、
第１のスロットセットと第２のスロットセットとを含む第１のパケットの前記第１のスロットセットを受信し、前記第１のパケットの前記第１のスロットセットが受信された直後、複数のスロットセットを含む第２のパケットの第１のスロットを受信するように構成された無線周波数ユニットと、
ここにおいて、前記第２のスロットセットは、前記アクセスネットワークにおいて前記第１のスロットセットの受信の解読が正しくないときに、送信されるものである、
前記受信された第１のパケットの第１のスロットセットを解読するように試み、前記受信された第１のパケットの第１のスロットセットが正しく解読されたかを判定するように構成されたロジック及び処理ユニットとを備え、
前記無線周波数ユニットは更に、前記ロジック及び処理ユニットが、前記第１のパケットを正しく解読した場合にアクノレッジメント（ＡＣＫ）を送り、前記ロジック及び処理ユニットが、前記第１のパケットを正しく解読しなかった場合にネガティブなアクノレッジメント（ＮＡＫ）を送り、
前記各スロットセットは、複数のスロットからなるアクセスネットワーク。
【請求項１４】
請求項１３に記載のアクセスネットワークにおいて、
前記無線周波数ユニットは更に、前記第１のパケットの前記第２のスロットセットを受信するように構成され、
前記ロジック及び処理ユニットは更に、前記受信された第１のパケットのスロットセットと、前記受信された第１のパケットの第２のスロットセットとの組み合わせを解読するように試みるアクセスネットワーク。
【請求項１５】
請求項１３に記載のアクセスネットワークにおいて、
前記無線周波数ユニットは更に、逆方向リンク電力制御チャネル上で逆方向リンク電力制御ビットを送り、順方向リンクＡＣＫチャネル上で前記ＡＣＫ又は前記ＮＡＫを送り、前記ＡＣＫ又はＮＡＫは前記逆方向リンク電力制御チャネルの位相に直交する位相で送信されるアクセスネットワーク。
【請求項１６】
第１のスロットセットと第２のスロットセットとを含む第１のパケットの前記第１のスロットセットをアクセスネットワークに送る手段と、
ここにおいて、前記第２のスロットセットは、前記アクセスネットワークにおいて前記第１のスロットセットの受信の解読が正しくないときに、送信されるものである、
前記第１のパケットの前記第１のスロットセットが送られた直後、複数のスロットセットを含む第２のパケットの第１のスロットセットを前記アクセスネットワークに送る手段と、
前記アクセスネットワークからの第１のパケットの第１のスロットセットの正しい又は正しくない解読に応じたアクノレッジメント（ＡＣＫ）又はネガティブなアクノレッジメント（ＮＡＫ）が受信されたのかを判定する手段と、
前記ＡＣＫが受信された場合、複数のスロットセットを含む第３のパケットの第１のスロットセットを前記アクセスネットワークに送る手段とを備え、
前記各スロットセットは、複数のスロットからなる装置。
【請求項１７】
第１のスロットセットと第２のスロットセットとを含む第１のパケットの前記第１のスロットセットをアクセスネットワークに送る手段と、
ここにおいて、前記第２のスロットセットは、前記アクセスネットワークにおいて前記第１のスロットセットの受信の解読が正しくないときに、送信されるものである、
前記第１のパケットの前記第１のスロットセットが送られた直後、複数のスロットセットを含む第２のパケットの第１のスロットセットを前記アクセスネットワークに送る手段と、
前記アクセスネットワークからの第１のパケットの第１のスロットセットの正しい又は正しくない解読に応じたアクノレッジメント（ＡＣＫ）又はネガティブなアクノレッジメント（ＮＡＫ）が受信されたのかを判定する手段と、
前記ＮＡＫが受信された場合、前記第１のパケットの前記第２のスロットセットを送る手段とを備え、
前記各スロットセットは、複数のスロットからなる装置。
【請求項１８】
アクセス端末からの、第１のスロットセットと第２のスロットセットとを含む第１のパケットの第１のスロットセットを受信する手段と、
ここにおいて、前記第２のスロットセットは、アクセスネットワークにおいて前記第１のスロットセットの受信の解読が正しくないときに、送信されるものである、
前記第１のパケットの前記第１のスロットセットが受信された直後、前記アクセス端末からの複数のスロットセットを含む第２のパケットの第１のスロットセットを受信する手段と、
前記受信された第１のパケットの第１のスロットセットの解読を試みる手段と、
前記受信された第１のパケットの第１のスロットセットが正しく解読されたかを判定する手段と、
前記受信された第１のパケットの第１のスロットセットが正しく解読された場合、アクノレッジメント（ＡＣＫ）を前記アクセス端末に送る手段とを備え、
前記各スロットセットは、複数のスロットからなる装置。
【請求項１９】
第１のスロットセットと第２のスロットセットとを含む第１のパケットの前記第１のスロットセットをアクセス端末によってアクセスネットワークに送り、
ここにおいて、前記第２のスロットセットは、前記アクセスネットワークにおいて前記第１のスロットセットの受信の解読が正しくないときに、送信されるものである、
前記第１のパケットの前記第１のスロットセットが送られた直後、複数のスロットセットを含む第２のパケットの第１のスロットセットを前記アクセス端末によって前記アクセスネットワークに送り、
前記アクセスネットワークからの第１のパケットの第１のスロットセットの正しい又は正しくない解読に応じたアクノレッジメント（ＡＣＫ）又はネガティブなアクノレッジメント（ＮＡＫ）が前記アクセス端末によって受信されたのかを前記アクセス端末によって判定し、
前記ＡＣＫが受信された場合、前記アクセス端末によって、複数のスロットセットを含む第３のパケットの第１のスロットセットを送るためのプロセッサ実行可能命令群を備え、
前記各スロットセットは、複数のスロットからなるプロセッサ読取可能記録媒体。
【請求項２０】
第１のスロットセットと第２のスロットセットとを含む第１のパケットの前記第１のスロットセットをアクセス端末によってアクセスネットワークに送り、
ここにおいて、前記第２のスロットセットは、前記アクセスネットワークにおいて前記第１のスロットセットの受信の解読が正しくないときに、送信されるものである、
前記第１のパケットの前記第１のスロットセットが送られた直後、複数のスロットセットを含む第２のパケットの第１のスロットセットを前記アクセス端末によって前記アクセスネットワークに送り、
前記アクセスネットワークからの第１のパケットの第１のスロットセットの正しい又は正しくない解読に応じたアクノレッジメント（ＡＣＫ）又はネガティブなアクノレッジメント（ＮＡＫ）が前記アクセス端末によって受信されたのかを前記アクセス端末によって判定し、
前記ＮＡＫが受信された場合、前記アクセス端末によって第１のパケットの第２のスロットセットを送るためのプロセッサ実行可能命令群を備え、
前記各スロットセットは、複数のスロットからなるプロセッサ読取可能記録媒体。
【請求項２１】
アクセス端末からの、第１のスロットセットと第２のスロットセットとを含む第１のパケットの前記第１のスロットセットをアクセスネットワークによって受信し、
ここにおいて、前記第２のスロットセットは、前記アクセスネットワークにおいて前記第１のスロットセットの受信の解読が正しくないときに、送信されるものである、
前記第１のパケットの前記第１のスロットセットが受信された直後、前記アクセス端末からの複数のスロットセットを含む第２のパケットの第１のスロットセットを前記アクセスネットワークによって受信し、
前記受信された第１のパケットの第１のスロットセットの解読を前記アクセスネットワークによって試み、
前記受信された第１のパケットの第１のスロットセットが正しく解読されたかを前記アクセスネットワークによって判定し、
前記アクセスネットワークが前記受信された第１のパケットの第１のスロットセットを正しく解読した場合、前記アクセスネットワークによってアクノレッジメント（ＡＣＫ）をアクセス端末に送るためのプロセッサ実行可能命令群を備え、
前記各スロットセットは、複数のスロットからなるプロセッサ読取可能記録媒体。
【手続補正２】
【補正対象書類名】明細書
【補正対象項目名】０００８
【補正方法】変更
【補正の内容】
【０００８】
"TIA/EIA/IS-95 Mobile Station-Base Station Compatibility Standard for Dual- Mode Wideband Spread Spectrum Cellular System"（ＩＳ−９５）に対応したコード分割多元接続（ＣＤＭＡ）システムでは、データパケットは、ＦＬ上で再送信されることが可能である。ＦＬ送信のための技術は、"Method and Apparatus for High Rate Packet Data Transmission"と題された米国特許出願番号０８／９６３，３８６号、すなわち２００３年６月３日に発行された米国特許第６，５７４，２１１号に記載されている。例えば、データパケットは、予め定めた数のデータユニットからなる。ここで、各データユニットは、連続番号によって識別される。移動局によって１つ又は複数のデータユニットの正しくない受信があると、この移動局は、ＲＬ  ＡＣＫチャネル上で、ネガティブなアクノレッジメント（ＮＡＣＫ）を送ることができる。これによって、基地局からの再送信のために、喪失されたデータユニットの連続番号を示す。基地局は、このＮＡＣＫメッセージを受信し、誤って受信されたデータユニットを再送信することができる。
【手続補正３】
【補正対象書類名】明細書
【補正対象項目名】００２２
【補正方法】変更
【補正の内容】
【００２２】
この例では、ＡＣＫ１２６がＡＮによって送られ、パケットｎの第１のスロットセット１１４が正しく解読されたことを示している。ＡＴはＡＣＫを受信する。これは、パケットｎ＋２の第１のスロットセット１１０がＡＴによって送ることができることを示している。ＡＮは、パケットｎ＋２の第１のスロットセット１１８を受信する。
【手続補正４】
【補正対象書類名】明細書
【補正対象項目名】００４４
【補正方法】変更
【補正の内容】
【００４４】
開示された実施例の前述した記述は、当該技術分野における熟練者に対して、本発明を実行又は利用させるために提供される。これら実施例に対する種々の変形例は、当該技術分野における熟練者に対して容易に明らかであり、ここで定義された一般的な原理は、本発明の精神又は範囲から逸脱することなくその他の実施例に適用されうる。従って、本発明は、ここで図示された実施例に対して限定されるのではなく、ここで記載された原理及び斬新な特徴と一致した最も広い範囲とみなされることが意図されている。
以下に本件出願当初の特許請求の範囲に記載された発明を付記する。
［Ｃ１］  高レートパケットデータコード分割多元接続無線通信システムの逆方向リンクに対する自動繰り返し要求の方法であって、  第１のパケットの第１のスロットセットをアクセス端末によってアクセスネットワークに送ることと、  第２のパケットの第１のスロットセットをアクセス端末によってアクセスネットワークに送ることと、  前記アクセスネットワークからの第１のパケットの第１のスロットセットの正しい又は正しくない解読に応じたアクノレッジメント（ＡＣＫ）又はネガティブなアクノレッジメント（ＮＡＫ）が前記アクセス端末によって受信されたのかを判定することと、  前記ＡＣＫが受信された時、前記アクセス端末によって第３のパケットの第１のスロットセットを送ることとを備える方法。
［Ｃ２］  Ｃ１に記載の方法において更に、  前記ＮＡＫが受信された時、前記アクセス端末によって、前記第１のパケットの第２のスロットセットを送ることを備える方法。
［Ｃ３］  Ｃ１に記載の方法において更に、  前記アクセスネットワークによって、前記第１のパケットの第１のスロットセットを受信することと、  前記アクセスネットワークによって、前記受信された第１のパケットの第１のスロットセットを解読するように試みることと、  前記アクセスネットワークによって、前記受信された第１のパケットの第１のスロットセットが正しく解読されたかを判定することと、  前記アクセスネットワークが前記受信された第１のパケットの第１のスロットセットを正しく解読した時、前記アクセスネットワークによって、前記ＡＣＫを前記アクセス端末に送ることとを備える方法。
［Ｃ４］  Ｃ３に記載の方法において更に、  前記アクセスネットワークが前記受信された第１のパケットの第１のスロットセットを正しく解読しなかったとき、前記アクセスネットワークによって、前記ＮＡＫを前記アクセス端末に送ることを備える方法。
［Ｃ５］  高レートパケットデータコード分割多元接続無線通信システムの逆方向リンクに対する自動繰り返し要求の方法であって、  アクセス端末によって、第１のパケットの第１のスロットセットをアクセスネットワークに送ることと、  前記アクセスネットワークからのアクノレッジメント（ＡＣＫ）又はネガティブなアクノレッジメント（ＮＡＫ）が前記アクセス端末によって受信されたかを前記アクセス端末によって判定することと、  前記ＮＡＫが受信された時、前記アクセス端末によって、前記第１のパケットの第２のスロットセットを送信することとを備える方法。
［Ｃ６］  Ｃ５に記載の方法において更に、  前記第１のパケットの第１のスロットセットを前記アクセスネットワークによって受信することと、  前記受信された第１のパケットの第１のスロットセットを前記アクセスネットワークによって解読するように試みることと、  前記受信された第１のパケットの第１のスロットセットが正しく解読されたかを前記アクセスネットワークによって判定することと、  前記アクセスネットワークが、前記受信された第１のパケットの第１のスロットセットを正しく解読しなかったとき、前記アクセスネットワークによって、前記ＮＡＫを前記アクセス端末に送ることとを備える方法。
［Ｃ７］  Ｃ６に記載の方法において更に、  前記アクセスネットワークが前記受信された第１のパケットの第１のスロットセットを正しく解読したとき、前記アクセスネットワークによって前記ＡＣＫを前記アクセス端末に送ることを備える方法。
［Ｃ８］  高レートパケットデータコード分割多元接続無線通信システムの逆方向リンクに対する自動繰り返し要求の方法であって、  アクセス端末からの第１のパケットの第１のスロットセットをアクセスネットワークによって受信することと、  前記受信された第１のパケットの第１のスロットセットの解読を前記アクセスネットワークによって試みることと、  前記受信された第１のパケットの第１のスロットセットが正しく解読されたかを前記アクセスネットワークによって判定することと、  前記アクセスネットワークが前記受信された第１のパケットの第１のスロットセットを正しく解読したとき、前記アクセスネットワークによってアクノレッジメント（ＡＣＫ）をアクセス端末に送ることとを備える方法。
［Ｃ９］  Ｃ８に記載の方法において更に、  前記アクセスネットワークが前記受信された第１のパケットの第１のスロットセットを正しく解読しなかったとき、前記アクセスネットワークによってネガティブなアクノレッジメント（ＮＡＫ）を前記アクセス端末に送ることを備える方法。
［Ｃ１０］  Ｃ９に記載の方法において更に、  前記アクセス端末からの前記第１のパケットの第２のスロットセットを前記アクセスネットワークによって受信することと、  前記受信された第１のパケットの第１のスロットセットと、前記受信された第１のパケットの第２のスロットセットとの組み合わせの解読を前記アクセスネットワークによって試みることとを備える方法。
［Ｃ１１］  Ｃ８に記載の方法において、前記ＡＣＫは、バイナリ位相シフトキーイング変調された順方向リンクＡＣＫチャネル上で前記アクセスネットワークによって送られ、前記ＡＣＫは、逆方向リンク電力制御チャネル上で送られた逆方向リンク電力制御ビットの位相に直交する位相で送られる方法。
［Ｃ１２］  高レートパケットデータコード分割多元接続無線通信システムの逆方向リンクに対する自動繰り返し要求の方法であって、  第１のパケットの第１のスロットセットをアクセス端末によってアクセスネットワークに送ることと、  前記第１のパケットの第１のスロットセットを前記アクセスネットワークによって受信することと、  前記受信された第１のパケットの第１のスロットセットの解読を前記アクセスネットワークによって試みることと、  前記受信された第１のパケットの第１のスロットセットが正しく解読されたかを前記アクセスネットワークによって判定することと、  前記アクセスネットワークが前記受信された第１のパケットの第１のスロットセットを正しく解読しなかった時には、前記アクセスネットワークによってネガティブなアクノレッジメント（ＮＡＫ）を前記アクセス端末に送り、前記アクセス端末が前記アクセスネットワークから前記ＮＡＫを受信したかを前記アクセス端末によって判定し、前記ＮＡＫが前記アクセス端末によって受信された時には、前記第１のパケットの第２のスロットセットを前記アクセス端末によって送り、前記アクセス端末からの前記第１のパケットの第２のスロットセットを前記アクセスネットワークによって受信し、前記受信された第１のパケットの第１のスロットセットと、前記受信された第１のパケットの第２のスロットセットとの組み合わせを解読するように前記アクセスネットワークによって試みることとを備える方法。
［Ｃ１３］  Ｃ１２に記載の方法において更に、  第２のパケットの第１のスロットセットを前記アクセス端末によって送ることを備え、  前記アクセスネットワークが前記受信された第１のパケットの第１のスロットセットを正しく解読した場合には、前記アクセスネットワークによってアクノレッジメント（ＡＣＫ）を前記アクセス端末に送り、前記アクセス端末が前記アクセスネットワークから前記ＡＣＫを受信したかを前記アクセス端末によって判定し、前記ＡＣＫが前記アクセス端末によって受信された場合には、第３のパケットの第１のスロットセットを前記アクセス端末によって送る方法。
［Ｃ１４］  Ｃ１２に記載の方法において、前記ＮＡＫは、バイナリ位相シフトキーイング変調された順方向リンクＡＣＫチャネル上で前記アクセスネットワークによって送られ、前記ＮＡＫは、逆方向電力リンク制御チャネル上で送られた逆方向リンク電力制御の位相に直交した位相で送られる方法。
［Ｃ１５］  高レートパケットデータコード分割多元接続無線通信システムのためのアクセス端末であって、前記アクセス端末は、  第１のパケットの第１のスロットセットを送り、第２のパケットの第１のスロットセットを送り、アクノレッジメント（ＡＣＫ）又はネガティブなアクノレッジメント（ＮＡＫ）を受信するように構成された無線周波数ユニットと、  前記ＡＣＫ又は前記ＮＡＫかの何れかが受信されたのかを判定するように構成されたロジック及び処理ユニットとを備え、  前記無線周波数ユニットは更に、前記ＡＣＫが受信された時には第３のパケットの第１のスロットセットを送り、前記ＮＡＫが受信された時には前記第１のパケットの第２のスロットセットを送るように構成されているアクセス端末。
［Ｃ１６］  高レートパケットデータコード分割多元接続無線通信システムのためのアクセスネットワークであって、前記アクセスネットワークは、  第１のパケットの第１のスロットセットを受信するように構成された無線周波数ユニットと、  前記受信された第１のパケットの第１のスロットセットを解読するように試み、前記受信された第１のパケットの第１のスロットセットが正しく解読されたかを判定するように構成されたロジック及び処理ユニットとを備え、  前記無線周波数ユニットは更に、前記ロジック及び処理ユニットが、前記受信された第１のパケットの第１のスロットセットを正しく解読した場合にアクノレッジメント（ＡＣＫ）を送り、前記ロジック及び処理ユニットが、前記受信された第１のパケットの第１のスロットセットを正しく解読しなかった場合にネガティブなアクノレッジメント（ＮＡＫ）を送るアクセスネットワーク。
［Ｃ１７］  Ｃ１６に記載のアクセスネットワークにおいて、  前記無線周波数ユニットは更に、前記第１のパケットの第２のスロットセットを受信するように構成され、  前記ロジック及び処理ユニットは更に、前記受信された第１のパケットのスロットセットと、前記受信された第１のパケットの第２のスロットセットとの組み合わせを解読するように試みるアクセスネットワーク。
［Ｃ１８］  Ｃ１６に記載のアクセスネットワークにおいて、  前記無線周波数ユニットは更に、バイナリ位相シフトキーイング変調された逆方向リンク電力制御チャネル上で逆方向リンク電力制御ビットを送り、バイナリ位相シフトキーイング変調された順方向リンクＡＣＫチャネル上で前記ＡＣＫ又は前記ＮＡＫを送り、前記ＡＣＫ又はＮＡＫは前記逆方向リンク電力制御チャネルの位相に直交する位相で送信されるアクセスネットワーク。
［Ｃ１９］  高レートパケットデータの逆方向リンクに対する自動繰り返し要求のためのコード分割多元接続（ＣＤＭＡ）無線通信システムであって、前記ＣＤＭＡ無線通信システムは、  アクセス端末とアクセスネットワークとを備え、  前記アクセス端末は、    第１のパケットの第１のスロットセットを送り、第２のパケットの第１のスロットセットを送り、アクノレッジメント（ＡＣＫ）又はネガティブなアクノレッジメント（ＮＡＫ）を受信するように構成された第１の無線周波数ユニットと、    ＡＣＫ又はＮＡＫが受信されたかを判定するために構成された第１のロジック及び処理ユニットとを備え、  前記第１の無線周波数ユニットは更に、前記ＡＣＫが受信された場合に第３のパケットの第１のスロットセットを送り、前記ＮＡＫが受信された場合に前記第１のパケットの第２のスロットセットを送り、  前記アクセスネットワークは、  前記受信された第１のパケットの第１のスロットセットを受信するように構成された第２の無線周波数ユニットと、  前記受信された第１のパケットの第１のスロットセットの解読を試み、前記受信された第１のパケットの第１のスロットセットが正しく解読されたかを判定するように構成された第２のロジック及び処理ユニットとを備え、  前記第２の無線周波数ユニットは更に、前記第２のロジック及び処理ユニットが、前記受信された第１のパケットの第１のスロットセットを正しく解読した場合に前記ＡＣＫを送り、前記第２のロジック及び処理ユニットが、前記受信された第１のパケットの第１のスロットセットを正しく解読しなかった場合に前記ＮＡＫを送るＣＤＭＡ無線通信システム。
［Ｃ２０］  Ｃ１９に記載のＣＤＭＡ無線通信システムにおいて、  前記第２の無線周波数ユニットは更に、前記第１のパケットの第２のスロットセットを受信するように構成され、  前記第２のロジック及び処理ユニットは更に、前記受信された第１のパケットの第１のスロットセットと、前記受信された第１のパケットの第２のスロットセットとの組み合わせの解読を試みるように構成されるＣＤＭＡ無線通信システム。
［Ｃ２１］  Ｃ１９に記載のＣＤＭＡ無線通信システムにおいて、  前記第２の無線周波数ユニットは更に、バイナリ位相シフトキーイング変調された順方向リンクＡＣＫチャネル上で前記ＡＣＫ又は前記ＮＡＫを送るように構成され、前記ＡＣＫ又は前記ＮＡＫは、逆方向リンク電力制御チャネルの位相に直交した位相で送られるＣＤＭＡ無線通信システム。
［Ｃ２２］  高レートパケットデータコード分割多元接続無線通信システムの逆方向リンクに対する自動繰り返し要求の装置であって、  第１のパケットの第１のスロットセットをアクセス端末によってアクセスネットワークに送る手段と、  第２のパケットの第１のスロットセットをアクセス端末によってアクセスネットワークに送る手段と、  前記アクセスネットワークからの第１のパケットの第１のスロットセットの正しい又は正しくない解読にそれぞれに対応したアクノレッジメント（ＡＣＫ）又はネガティブなアクノレッジメント（ＮＡＫ）が前記アクセス端末によって受信されたのかを判定する手段と、  前記ＡＣＫが受信された時、前記アクセス端末によって第３のパケットの第１のスロットセットを送る手段とを備える装置。
［Ｃ２３］  高レートパケットデータコード分割多元接続無線通信システムの逆方向リンクに対する自動繰り返し要求の装置であって、  第１のパケットの第１のスロットセットをアクセス端末によってアクセスネットワークに送る手段と、  前記アクセスネットワークからのアクノレッジメント（ＡＣＫ）又はネガティブなアクノレッジメント（ＮＡＫ）が前記アクセス端末によって受信されたのかを前記アクセス端末によって判定する手段と、  前記ＮＡＫが受信された時、前記アクセス端末によって前記第１のパケットの第２のスロットセットを送る手段とを備える装置。
［Ｃ２４］  高レートパケットデータコード分割多元接続無線通信システムの逆方向リンクに対する自動繰り返し要求の装置であって、  アクセス端末から第１のパケットの第１のスロットセットをアクセスネットワークによって受信する手段と、  前記受信された第１のパケットの第１のスロットセットを前記アクセスネットワークによって解読するように試みる手段と、  前記受信された第１のパケットの第１のスロットセットが正しく解読されたかを前記アクセスネットワークによって判定する手段と、  前記アクセスネットワークが、前記受信された第１のパケットの第１のスロットセットを正しく解読したとき、前記アクセスネットワークによって、アクノレッジメントをアクセス端末に送る手段とを備える装置。
［Ｃ２５］  高レートパケットデータコード分割多元接続無線通信システムの逆方向リンクに対する自動繰り返し要求の装置であって、  第１のパケットの第１のスロットセットをアクセス端末によってアクセスネットワークに送る手段と、  前記第１のパケットの第１のスロットセットを前記アクセスネットワークによって受信する手段と、  前記受信された第１のパケットの第１のスロットセットの解読を前記アクセスネットワークによって試みる手段と、  前記受信された第１のパケットの第１のスロットセットが正しく解読されたかを前記アクセスネットワークによって判定する手段と、  前記アクセスネットワークが前記受信された第１のパケットの第１のスロットセットを正しく解読しなかった時のための手段とを備え、この手段は、    前記アクセスネットワークによってネガティブなアクノレッジメント（ＮＡＫ）を前記アクセス端末に送る手段と、    前記アクセス端末が前記アクセスネットワークから前記ＮＡＫを受信したかを前記アクセス端末によって判定する手段と、    前記ＮＡＫが前記アクセス端末によって受信された時のための手段とを備え、この手段は、      前記第１のパケットの第２のスロットセットを前記アクセス端末によって送る手段と、      前記アクセス端末からの前記第１のパケットの第２のスロットセットを前記アクセスネットワークによって受信する手段と、      前記受信された第１のパケットの第１のスロットセットと、前記受信された第１のパケットの第２のスロットセットとの組み合わせを解読するように前記アクセスネットワークによって試みる手段とを備える装置。
【手続補正５】
【補正対象書類名】図面
【補正対象項目名】図１
【補正方法】変更
【補正の内容】
【図１】
2011019237.tif 000007
【外国語明細書】
2011019237000001.pdf